(57)【要約】  本発明は組み立て作業性及び、生産性を改善した端子箱を提供することにある。このような本発明は、コンクリート壁に埋設されて電線、電話線、インターネット専用線、アンテナ線などをつなぐための端子と、スィッチを設置することができる収容空間を用意する端子箱本体、端子箱本体の前面に結合されて、中央にはスィッチ及びプラグなどの設置孔を用意し、両側には連結パネルを設置するための安着部を提供するカバーを含んでいる。また、カバーと連結パネルは、その後側でカバーと連結パネルを横切る支持棒で一体に連結できるようにし、長期間使用時に垂れのような変形の発生を防止した。
2007514393.tif 000002
【特許請求の範囲】
【請求項１】
コンクリート壁に埋設されて内部に入って来る通信或は電気用電線をつなぐための端子とスィッチを設置することができる収容空間を用意する端子箱において、
ａ）前記収容空間を形成する前面のみが開口された四角形体を形成し、どの両側壁部に前記収容空間と連絡される一組ずつの電線引入口が形成された端子箱本体；
ｂ）前記端子箱本体の前面で開口を覆うように結合され、中央部には開口を通じて前記収容空間と連絡される設置孔が形成され、前記設置孔の両側には中の方へ段差をもって形成された結合孔を有する所定広さの安着面を有する板形状のカバー；及び
ｃ）前記カバーと同じ材質で板構造を形成し、前記安着面に対応する広さとして前記安着面にカバーと水平面を形成するように設置され、隣接するカバーを連続して一列に結合し、前記結合孔に脱着すうように結合される結合突起が形成された連結パネル
を含む端子箱。
【請求項２】
請求項１において、前記カバーと前記連結パネルの上下端部には前記端子箱本体側に折曲される折曲部がさらに形成されたことを特徴とする端子箱。
【請求項３】
請求項１において、前記結合突起はフック形状で形成されたことを特徴とする端子箱。
【請求項４】
コンクリート壁に埋設されて内部に入って来る通信或は電気用電線をつなぐための端子とスィッチを設置することができる収容空間を用意する端子箱において、
ａ）前記収容空間を形成する前面のみが開口された四角形体を形成し、どの両側壁部に前記収容空間と連絡される一組ずつの電線引入口が形成された端子箱本体；
ｂ）前記端子箱本体の前面で開口を覆うように結合され、中央部には開口を通じて前記収容空間と連絡される設置孔が形成され、前記設置孔の両側には中の方へ段差をもって形成された結合孔を有する所定広さの安着面を有する板形状のカバー；
ｃ）前記カバーと同じ材質で板構造を形成し、前記安着面に対応する広さとして前記安着面にカバーと水平面を形成するように設置され、隣接するカバーを連続して一列に結合し、前記結合孔に脱着すうように結合される結合突起が形成された連結パネル；及び
ｄ）前記連結パネルとカバーの裏には挿入孔を有する突出部をそれぞれ具備し、前記挿入孔を通じて挿入結合することによってカバーと連結パネルを横切って一体に連結させた支持棒
を含む端子箱。
【請求項５】
請求項４において、前記支持棒はカバーと連結パネルの裏、上下側に位置するように設置したことを特徴とする端子箱。
【発明の詳細な説明】
【技術分野】
【０００１】
本発明は電線、電話線、インターネット専用線、アンテナ線などをつなぐための端子を設置できる空間を有するのに使用する端子箱に関するものであり、特に端子箱本体のカバーには既存の作業孔と共に、そのカバーの両側には端子箱本体を連続して直列に配置するように連結パネル結合用として使用することができる機能を同時に同じにした端子箱に関するものである。
【背景技術】
【０００２】
一般的に端子箱と言えば、単独あるいは共同住宅又は大型建物などの施工の時に壁に埋設され、内部に入って来る電線、例えば、電気線、電話線、インターネット専用線、アンテナ線などをつなぐための端子及び、スィッチなどを設置することができる空間を提供するためのものを言う。
【０００３】
このような端子箱は、壁に埋設するためにあらかじめ用意した端子箱の開口部を室内に露出するように位置し、次に蓋を設置した後、セメントモルタルを打設することにより、端子箱が壁に埋め込まれて固定された構造を有していることは一般化された事実である。
【０００４】
しかし、多数の端子箱を壁の内に埋設する場合には一つを埋設する前記の場合と同じであるが、多数を埋設する場合には端子箱の間隔を必ず維持する必要がある。もし、端子箱の間隔を正確に維持できない場合は、セメントモルタルの打設の時に前記端子箱が一側に傾いた状態で埋め込まれることにより、設置不良が発生されるが、こんなに設置不良が発生する場合には壁を壊さなければならない深刻な問題が発生する。したがって、このような設置不良を防止するために図１に示したように、端子箱（１０）の前面部に別途の板金からなる固定パネル（２０）を使用して、多数の端子箱（１０）を固定するによってその端子箱（１０）の間隔を維持した。
【０００５】
しかし、従来には前記のように別途の板金で作られた固定パネル（２０）を使用することにより、そのほど製造費用が大きく増加して原価上昇の要因が発生した。即ち、端子箱（１０）の前面部には蓋（１２）が設置され、この蓋（１２）の前面部に前記板金で作られた固定パネル（２０）を設置するようになり、前記端子箱（１０）の前面部には蓋（１２）と固定パネル（２０）が二重に設置されるので、原価の上昇要因となったためである。
【０００６】
また、固定パネル（２０）に端子箱を結合する時に発生する誤差などにより、作業性が著しく低下する問題がある。
【発明の開示】
【発明が解決しようとする課題】
【０００７】
本発明の目的は元々の端子箱機能を有すると共に、間隔維持機能も発揮できるようにして端子箱一つを設置する場合は勿論、多数の端子箱を壁に埋設する場合にも定着間隔を維持できるようにして設置による作業性を向上させる点と、また製造原価の節減を達成して単価で大量に供給できるようにした端子箱を提供することにある。
【０００８】
本発明の他の目的は、端子箱カバーで垂れなどの変形が発生することがないようにした端子箱を提供することにある。
【課題を解決するための手段】
【０００９】
前記目的を達成するための本発明は、コンクリート壁に埋設されて内に入って来る通信あるいは電気用電線をつなぐための端子と、スィッチを設置することができる収容空間を用意する端子箱において、前記収容空間を形成する前面のみが開口された四角形体を形成し、どの両側壁部に前記収容空間と連絡される一組ずつの電線引入口が形成された端子箱本体と、前記端子箱本体の前面で開口を覆うように結合され、中央部には開口を通じて前記収容空間と連絡される設置孔が形成され、前記設置孔の両側には中の方へ段差をもって形成された結合孔を有する所定広さの安着面を有する板形状のカバー、及び前記カバーと同じ材質で板構造を形成して、前記安着面に対応する広さとして前記安着面にカバーと水平面を形成するように設置され、隣接するカバーを連続して一列に結合し、前記結合孔に脱着すうように結合される結合突起が形成された連結パネルを含むことを特徴とする。
【００１０】
前記カバーと前記連結パネルの上下端部には前記端子箱本体側に折曲される折曲部がさらに形成されたことを特徴とする。
【００１１】
前記結合突起はフック形状で形成されたことを特徴とする。
【００１２】
また、前記のまた他の目的を達成するための本発明はコンクリート壁に埋設されて内部に入って来る通信或は電気用電線をつなぐための端子とスィッチを設置することができる収容空間を用意する端子箱において、前記収容空間を形成する前面のみが開口された四角形体を形成し、どの両側壁部に前記収容空間と連絡される一組ずつの電線引入口が形成された端子箱本体と、前記端子箱本体の前面で開口を覆うように結合され、中央部には開口を通じて前記収容空間と連絡される設置孔が形成され、前記設置孔の両側には中の方へ段差をもって形成された結合孔を有する所定広さの安着面を有する板形状のカバー、及び前記カバーと同じ材質で板構造を形成し、前記安着面に対応する広さとして前記安着面にカバーと水平面を形成するように設置され、隣接するカバーを連続して一列に結合し、前記結合孔に脱着すうように結合される結合突起が形成された連結パネル及び、前記連結パネルとカバーの裏には挿入孔を有する突出部を各々具備し、前記挿入孔を通じて挿入結合することによってカバーと連結パネルを横切って一体に連結させた支持棒を含むことを特徴とする。
【００１３】
前記支持棒は、カバーと連結パネルの裏、上下側に位置するように設置したことを特徴とする。
【発明を実施するための最良の形態】
【００１４】
以下、添付された図面を参照して本発明の好ましい実施例を詳細に説明する。
【００１５】
図２乃至図５は、本発明の第１実施例による端子箱であって、図２は本発明による端子箱の分離斜視図であり、図３は図２で端子箱本体の前面に設置されるカバーを連結パネルによって連続して結合される状態を示した斜視図で、図４は図３でカバーに端子箱本体を設置した状態を示した斜視図で、図５は図４の平面図である。
【００１６】
図面の表示のように、本発明の第１実施例による端子箱をコンクリート壁に埋設され、内部に入って来る電線などをつなぐための端子を設置することができる空間を提供するものであり、端子箱本体（１１０）を備えている。この端子箱本体（１１０）は前記壁に埋設されて端子を設置するための収容空間（１１２）が形成され、その収容空間（１１２）と連絡されるように多数の電線引入口（１１４）を有する四角形状の箱で形成される。
【００１７】
前記電線引入口（１１４）は、初めは詰まっている状態で壁に埋設した後、その電線引入口（１１４）を打孔して使用することにより、容易に打孔することができるように溝で形成されている。
【００１８】
このような端子箱本体（１１０）は、設置場所によってその個数を任意にして設置するようになり、通常２-３個位の端子箱を設置することが好ましい。
【００１９】
また、前記端子箱本体（１１０）に形成された前記収容空間（１１２）は、前面が開放される形態で形成され、その開放される前面にカバー（１２０）が設置される。前記カバー（１２０）は、設置される端子箱本体（１１０）の個数に対応する個数で設置されることで、このようなカバー（１２０）は、端子箱本体（１１０）の前面に設置し、蓋（図に示されていない）を設置するための場所を用意するようにした設置孔（１２２）を有し、その設置孔（１２２）の両側には段差をもって安着面（１２４）を具備し、前記安着面（１２４）に結合孔（１２６）が形成されている。
【００２０】
前記設置孔（１２２）に設置される蓋は、コンクリート打設を作業や左官作業の時に前記端子箱本体（１１０）の収容空間（１１２）にコンクリートモルタルが入ることを防止するためのものであり、コンクリート打設を作業や左官作業の時には、前記蓋を設置孔（１２２）に設置して収容空間（１１２）を塞いだ状態でコンクリート打設作業を行い、作業完了後に前記蓋を除去するようになる。
【００２１】
また、前記カバー（１２０）の両側部には連結パネル（１３０）を設置するようになっている。 この連結パネル（１３０）は、前記カバー（１２０）に具備した安着面（１２４）に安着されるように設置し、カバー（１２０）の前面部と連結パネル（１３０）の前面部が同一面を形成することが好ましい。
【００２２】
前記連結パネル（１３０）は、隣接したカバー（１２０）の間に位置するように設置してカバー（１２０）の間隔を維持できるようになるので、前記カバー（１２０）が結合された端子箱本体（１１０）の間隔を維持できる。このような連結パネル（１３０）には、前記結合孔（１２６）に嵌め結合されるようにその結合孔（１２６）に対応する位置に結合突起（１３２）が形成されてカバー（１２０）に簡単に固定される。
【００２３】
また、前記連結パネル（１３０）とカバー（１２０）の上下端部には前記端子箱本体（１１０）側に折曲される折曲部（１２８、１３４）がさらに形成されている。前記折曲部（１２８、１３４）によって端子箱本体（１１０）との結合が堅固にできることで、前記折曲部（１２８、１３４）が端子箱本体（１１０）の上下端部を支持することにより、結合を容易にすることは勿論、結合後、遊動を防止することができる。
【００２４】
このような連結パネル（１３０）は、前記カバー（１２０）の両側に位置され、そのカバー（１２０）に形成された結合孔（１２６）に前記連結パネル（１３０）に形成された結合突起（１３２）を挟むことにより、簡単に結合するようにして前記カバー（１２０）に固定される端子箱本体（１１０）の間隔を維持できるようにする。
【００２５】
また、前記連結パネル（１３０）とカバー（１２０）は射出による方法で規格化して製作することにより、大量生産が可能となるので、生産性向上及び製作による単価を節減することができ、前記端子箱本体（１１０）が設置される個数によって、カバー（１２０）と連結パネル（１３０）の個数に選定することができるのでいろいろ適用できる。
【００２６】
そして、前記連結パネル（１３０）とカバー（１２０）を多数結合して一つの単一体を成す時は、その両側端部に位置する連結パネル（１３０a）には内側に折曲形成される支持片（１３１）をさらに形成することが好ましい。このような支持片（１３１）によって前記連結パネル（１３０）と、カバー（１２０）に結合されて一つの単一体を成した状態で埋設される時に両側端部を支持するようにする。
【００２７】
このような本発明によれば、端子箱を建物施工時にあらかじめ壁面に埋設するように設置することで、前記端子箱本体（１１０）の前面部には、カバー（１２０）と連結パネル（１３０）を結合した状態で建物の骨組を形成する支持バーなどに前記端子箱本体（１１０）を固定した後、コンクリート打設作業をすることにより、望む位置の壁面に一定の間隔を維持しながら本発明の端子箱を設置することができる。
【００２８】
図６乃至図１５は、本発明の第２実施例による端子箱を表示したものであり、図６は本発明による端子箱の分離斜視図であり、図７は図６で端子箱本体の前面に設置されるカバーと連結パネルのみを分離して背面を見せるように表示した斜視図であり、図８は図６でカバーが連結パネルによって連続して結合された状態のみを示した斜視図であって、図９は図８の背面図で、図１０は図９のＩ‐Ｉ線方向による断面図であり、図１１は図１０のＩＩ‐ＩＩ線方向による断面図で、図１２は図１０のC-C線方向による断面図である。
【００２９】
図面のように、本発明の第２実施例では、上で説明した第１実施例と同一類似の構成を有するものであり、同じ構成については同じ符号として表示して説明する。
【００３０】
本発明の第２実施例によれば、前記端子箱本体（１１０）は、第１実施例と形状のみ差があり、他の構成部分については同じである。また、カバー（１２０）と連結パネル（１３０）も、前記端子箱本体（１１０）の前面に設置されて間隔を維持できるようにすることは同じであり、第１実施例で形状だけ差がある。
【００３１】
また、前記連結パネル（１３０）に形成された結合突起（１３２）は、フック形状で構成することが好ましい。これは前記結合突起（１３２）がカバー（１２０）に形成された結合孔（１２６）に結合されると、簡単に抜けないようにするためのものである。
【００３２】
このような第２実施例によれば、前記連結パネル（１３０）の背面には、隣接したカバー（１２０）の間を通じて背面に突き出されるように第１突出部（１４２）を形成し、前記カバー（１２０）の背面には、第１突出部（１４２）と同じ高さになるように第２突出部（１４４）を形成する。このような第１、第２突出部（１４２、１４４）には、水平状態で支持棒（１４０）を挿入結合することができるように第１、第２挿入孔（１４２a、１４４a）が形成される。
【００３３】
前記第１、第２挿入孔（１４２a、１４４a）を通じて、水平状態で挿入結合した支持棒（１４０）によって前記カバー（１２０）と連結パネル（１３０）が組み立て結合された状態での垂れを防止することができる。
【００３４】
このような支持棒（１４０）と前記支持棒（１４０）が挿入結合される挿入孔（１４２a、１４４a）は、前記カバー（１２０）と連結パネル（１３０）の背面上下側部に位置するように設置し、このように上下側部に各々支持棒（１４０）を挿入設置するようになると、より確実に垂れを防止することができる。
【００３５】
したがって、前記支持棒（１４０）によって、カバー（１２０）と連結パネル（１３０）を堅固に支持することにより、コンクリートの打設の時に、その打設されるコンクリートモルタルが前記カバー（１２０）と連結パネル（１３０）及び、そのカバー（１２０）に固定される端子箱の垂れを防止できるようにして、正確な位置に端子箱が設置できるようにすることにより、端子箱の設置不良を防止することができる。
【００３６】
上で説明した本発明の第２実施例は、２個の端子箱本体（１１０）が設置されていることを示したものであり、後述する図１３〜図１５は、３個の端子箱本体（１１０）が設置されていることを示したものであって、その以上の個数で端子箱本体を設置することができる。
【００３７】
図１３はカバーが多数の場合、ここに対応する連結パネルにも対応されて設置される変形例を示した斜視図であり、図１４は図１３でカバーと連結パネルのみを分離してその背面のみを見せるように表示した斜視図であって、図１５は図１４でカバーが連結パネルによって連続して結合されている状態を前で見て示した斜視図である。
【００３８】
図１３〜図１５に示した本発明は、上で説明した第２実施例で壁に埋設される端子箱本体（１１０）の個数と、その端子箱本体（１１０）の前方に設置されるカバー（１２０）及び、連結パネル（１３０）の個数を異にしたことに差がある。
【００３９】
このように本発明によれば、前記カバー（１２０）と連結パネル（１３０）をコンクリート壁に埋設される端子箱本体（１１０）の個数により、任意の個数をいろいろ適用することができ、通常２〜３個の端子箱を一番多く使用する。
【００４０】
このように構成された本発明の第２実施例によれば、前記端子箱本体（１１０）は、建物施工の時にあらかじめ壁面に埋設するように設置することで、前記端子箱本体（１１０）の前面部には、カバー（１２０）と連結パネル（１３０）を結合した状態で建物の骨組を形成する支持バーなどに前記端子箱本体（１１０）を固定した後、コンクリート打設作業をすることにより、望む位置の壁面に一定の間隔を維持しながら本発明の端子箱を設置できるようにする。
【００４１】
この時、前記端子箱本体（１１０）の前方に固定されるカバー（１２０）と、そのカバー（１２０）の間に結合される連結パネル（１３０）及び、前記カバー（１２０）と連結パネル（１３０）の背面に横切って設置した支持棒（１４０）によって、堅固な支持状態を維持できるようにすることにより、コンクリートモルタルの打設の時にその打設されるコンクリートモルタルによって発生する圧力にも耐えるようにし、端子箱の位置が変更されないようにして端子箱の設置不良を防止することができる。
【産業上の利用可能性】
【００４２】
以上の説明で分かるように本発明によれば、一つのカバーとして端子箱本体のカバー機能と共に、間隔維持機能も同時に発揮できるようにし、端子箱を壁に埋設の時に容易にできる作業性の向上を図った効果がある。また、端子箱で部品の所要量を省略して原価要因を節減して経済性を有するようにした効果もある。また、端子箱の多数個配列の時にカバーの増加による自体重量によって変形防止を図った効果もある。
【図面の簡単な説明】
【００４３】
【図１】従来の端子箱とその端子箱をコンクリート壁に埋設するための固定パネルを示した斜視図である。
【図２】本発明の第１実施例による端子箱であり、本発明による端子箱の分離斜視図。
【図３】本発明の第１実施例による端子箱であり、図２で端子箱の本体の前面に設置されるカバーを連結パネルによって連続して結合される状態を示した斜視図。
【図４】本発明の第１実施例による端子箱であり、図３でカバーに端子箱本体を設置した状態を示した斜視図。
【図５】本発明の第１実施例による端子箱であり、図４の平面図である。
【図６】本発明の第２実施例による端子箱であり、本発明による端子箱の分離斜視図である。
【図７】本発明の第２実施例による端子箱であり、図６で端子箱本体の前面に設置されるカバーと連結パネルのみを分離して背面を見せるように表示した斜視図である。
【図８】本発明の第２実施例による端子箱であり、図６でカバーが連結パネルによって連続して結合された状態のみを示した斜視図である。
【図９】本発明の第２実施例による端子箱であり、図８の背面図である。
【図１０】本発明の第２実施例による端子箱であり、図９のＩ‐Ｉ線方向による断面図である。
【図１１】本発明の第２実施例による端子箱であり、図１０のＩＩ‐ＩＩ線方向による断面図である。
【図１２】本発明の第２実施例による端子箱であり、図１０のＣ‐Ｃ線方向による断面図である。
【図１３】本発明の第２実施例による端子箱であり、カバーが多数である場合、ここに対応する連結パネルにも対応されて設置される変形例を示した斜視図である。
【図１４】本発明の第２実施例による端子箱であり、図１３でカバーと連結パネルのみを分離してその背面のみを見せるように表示した斜視図である。
【図１５】本発明の第２実施例による端子箱であり、図１４でカバーが連結パネルによって連続して結合されている状態を前で見て示した斜視図である。
【図１】
2007514393.tif 000003
【図２】
2007514393.tif 000004
【図３】
2007514393.tif 000005
【図４】
2007514393.tif 000006
【図５】
2007514393.tif 000007
【図６】
2007514393.tif 000008
【図７】
2007514393.tif 000009
【図８】
2007514393.tif 000010
【図９】
2007514393.tif 000011
【図１０】
2007514393.tif 000012
【図１１】
2007514393.tif 000013
【図１２】
2007514393.tif 000014
【図１３】
2007514393.tif 000015
【図１４】
2007514393.tif 000016
【図１５】
2007514393.tif 000017
【国際調査報告】
2007514393.tif 000018
2007514393.tif 000019